(57)【特許請求の範囲】
【請求項１】
第１（５，１１）の係合手段および第２（１９，２０）の係合手段が形成された台板（１）を具え、
前記第１の係合手段は、
相互に対向すると共に上方および前方に収束し、前記台板（１）に沿って係合方向に移動するカメラボディの、当該第１の係合手段の内側部に対応する形状を有する第１の部材（１６）に解除可能に係合する内側部（７）と、
前記第１の係合手段の前記内側部に当接したカメラボディの前記第１の部材（１６）の係合が解除される方向への移動を制限可能な移動制限部材（１１）とを有し、
前記第２の係合手段は、
前記台板の平坦な外側面と対向する対向面を有する固定板（１９）と、
当該固定板を一端に具え、前記固定板（１９）の前記対向面と前記台板の平坦な外側面との間で、前記台板（１）に沿って係合方向に移動する、カメラボディの第２の部材（２１）を解除可能に係合し、前記台板の平坦な外側面上で前記固定板の前記対向面を保持するステム（２０）とを有するカメラサポートであって、
前記第１の係合手段（５，１１）は、前記カメラボディの第１の部材に対する当接位置を画成し、前記移動制限部材（１１）と連動して、前記移動制限部材が前記カメラボディの係合を解除する方向への移動を制限する状態と制限しない状態とを切り替えるトリガー（１４）を有し、
前記第２の係合手段（１９，２０）は、前記台板の平坦な外側面と前記固定板の前記対向面とを壁面とする２つの側壁間に空隙（３８）を画成し、前記カメラボディの前記第２の部材に形成された被支持部となるシュープレート（２１）のウェブ（２３）を当該空隙に摺動可能に収容し、
前記側壁の一方が他方に向けて移動可能であって前記第１の係合手段のトリガーに結合され、前記ウェブが前記側壁間に挿入され、前記当接位置に達した前記第１の部材（１６）によって前記トリガー（１４）が操作された場合、当該トリガーに連動して前記側壁の一方を他方に向けて移動させる側壁移動手段（３４，３７）によって前記側壁間に前記ウェブ（２３）が固定されるようになっており、
さらに、側壁移動手段（３４，３７）は、ステム（２０）が延在する長手方向の溝（３５）を有するくさび（３４）を含んでおり、板（３６）がステム（２０）によって固定され第１のばね（３７）によって保持されていることを特徴とするカメラサポート。
【請求項２】
第１のばね（３７）は、板ばねであることを特徴とする請求項１に記載のカメラサポート。
【請求項３】
前記固定板（１９）は、前記台板の平坦な外側面に形成された穴を通って延在する前記ステム（２０）により前記台板の平坦な外側面に保持され、当該固定板は、前記摺動方向と直交する両方向に前記ステム（２０）から延在していることを特徴とする請求項１または請求項２に記載のカメラサポート。
【請求項４】
前記ステム（２０）の押圧面（３６）と前記台板（１）の内側面との間にくさび（３４）が配され、このくさび（３４）は、前記カメラボディの移動方向を横切る方向に移動可能であり、前記トリガー（１４）は、前記移動方向を横切る方向に移動可能であるばね付勢ラッチ（９）に対して解除可能に係合し、前記くさび（３４）は、前記移動方向に延在する両アームレバー（３１）により前記ラッチ（９）に結合することを特徴とする請求項３に記載のカメラサポート。
【請求項５】
前記ステム（２０）が前記くさび（３４）の溝（３５）を通って延在し、前記押圧面が前記ステム（２０）から側方に延在する板（３６）に形成され、前記くさび（３４）は、前記ステム（２０）が前記台板（１）へと引き込まれる位置に向けて第２のばね（３３）により付勢されていることを特徴とする請求項４に記載のカメラサポート。
【請求項６】
請求項１から請求項５の何れかに記載のカメラボディ（１０４）とカメラサポート（１００）とを具え、前記台板（１）が可動部材（１）として配されていることを特徴とするカメラアセンブリ。
【請求項７】
前記カメラサポート（１００）は、水平方向に延在する水平部材（１０１）と、当該水平部材に垂直な垂直部材（４）とを具え、前記垂直部材（４）がレンズ（１０２）を支持するようになっていると共に前記水平部材（１０１）が前記カメラボディ（１０４）を当該水平部材（１０１）に対して解除可能に固定するための前記第１の係合手段および第２の係合手段（５，１１，１９，２０）を有し、この水平部材（１０１）が前記垂直部材（４）に関する不動部材（１０３）を有し、前記第１の係合手段および第２の係合手段（５，１１，１９，２０）が前記可動部材（１）に形成され、前記カメラボディ（１０４）は、これが前記第１の係合手段および第２の係合手段（５，１１，１９，２０）により可動部材（１）に固定された場合、前記レンズ（１０２）から間隔をあけられる第１の位置と、前記カメラボディ（１０４）が前記レンズ（１０２）に接続する第２の位置との間を移動可能であることを特徴とする請求項６に記載のカメラアセンブリ。
【発明の詳細な説明】
【技術分野】
【０００１】
本発明は、カメラを取り外し可能に取り付けるためのカメラサポートおよび個々のカメラアセンブリに関する。
【背景技術】
【０００２】
テレビカメラの分野における周知のカメラアセンブリは、いわゆるスーパーエキスパンダーであり、三脚などに取り付けのための一種のフレームと見なすことができ、レンズを支え、異なる種類のカメラボディをレンズと協力し合うように解除可能に連結することができる。
【０００３】
従来技術のスーパーエキスパンダーは、２つの直交する部材を具え、その第１の一方がこれに取り付けられるレンズの光軸に対して直角に延在し、その第２の方が、レンズが取り付けられるのと反対のカメラボディが解除可能に固定される第１の部材の側方に延在する。
【０００４】
従来、このようなスーパーエキスパンダーは、カメラボディの前部および後部に解除可能に係合するための第１および第２の係合手段が形成された台板を有し、このカメラボディは、連結するために台板の後部から前部まで移動可能である。第１の係合手段（すなわち前部係合手段）には、テーパ状あり溝の両側を画成して前方に収束する２つのくさびが形成されている。カメラボディは、カメラのくさびの両側が台板のそれらに接触するまで、前記溝へと押し込まれることができるあり形断面のテーパ状くさびを有する。この方法において、カメラボディが前方に動くことができない以外に、これが側方にも垂直にも動くことができない当接位置が画成される。第２、つまり後部係合手段は、台板から離れたステムにより保持された小板によって形成され、カメラの相補的係合手段は、カメラボディをその当接位置まで前方に動かした場合、台板と小板との間に係合するウェブを具えている。
【発明の開示】
【発明が解決しようとする課題】
【０００５】
小板とウェブとの間に、これらを自由に係合および係合解除できることを確実にするため、若干の遊びが必要である。しかしながら、この遊びは、カメラボディの前部が当接位置にあったとしても、カメラボディの後部に若干のがたが残ることを意味する。カメラボディがレンズに対して移動することができる場合、レンズによりカメラボディの感光面に投影される画像も同じような状況となろう。これを回避するため、遊びのない取り付け具をカメラの後部にも設ける必要がある。もちろん、カメラの後部を台板に遊びなく固定するために追加の工具を設けることが可能であるが、これらの工具を操作することは面倒であり、カメラマンがこれを使うのを忘れる危険性がある。
【０００６】
さらに、カメラボディが光軸に対して正しく方向付けされずに当接位置に向けて押された場合、レンズに損傷を与える危険性がある。
【０００７】
本発明の目的は、カメラボディをその意図した取り付け位置に移動した時に遊びなく自動的にこれを所定位置に固定し、かつレンズに対するカメラボディの安全な取り扱いを特に可能にするカメラサポートおよびカメラアセンブリを提供することである。
【課題を解決するための手段】
【０００８】
この目的は、第１および第２の係合手段が形成された台板を具え、この台板に沿って係合方向に移動するカメラボディの第１および第２の部材に対し、前記係合手段が解除可能に係合するカメラサポートにより達成され、前記第１の係合手段は前記カメラボディの第１の部材に対する当接位置を画成し、前記第２の係合手段は２つの側壁間に空隙を画成して前記カメラボディのウェブを摺動可能に収容し、前記側壁の一方が他方に向けて移動可能であって第１の係合手段のトリガーに結合され、前記当接位置に達した前記第１の部材によって前記トリガーが操作された場合に前記側壁間に前記ウェブを固定するようになっている。
【０００９】
カメラサポートは、側壁が相互に離れるように付勢するための第１のばね(３７)を好ましくは具えており、トリガーを操作しない限り、カメラのウェブを側壁間の空隙へと自由に差し込むことができるようになっている。
【００１０】
一方の前記側壁を前記台板の平坦な外側面によって形成することができ、前記平坦な面の穴を通って延在するステムによって前記平坦な面の上に保持される固定板により、他方の側壁を形成することができる。
【００１１】
固定操作を行うため、くさびを前記ステムの押圧面と前記台板の内側面との間に配することができ、押圧面と台板の内側面との間の空隙へとくさびをさらに押し込んだ場合、固定板が台板の外側面に向けて引っ張られるようになっている。
【００１２】
良好に釣り合った引張り力をステムに加えるため、くさびの溝を通ってステムを延在させることができ、押圧面を前記ステムから側方に延在する板に形成することができる。
【００１３】
ステムが台板へと引き込まれる位置に向けてくさびを付勢するための第２のばねを設けることができ、ステムを引き込むための外部の駆動力を必要としないようになっている。
【００１４】
くさびを第１の係合手段のトリガーに結合するため、このくさびはカメラボディの移動方向に対して横切る方向に移動可能となるように好ましくは配され、トリガーは移動方向に対して同じく横切る方向に移動可能なばね付勢ラッチに解除可能に係合し、くさびは移動方向に延在する両アームレバーによってラッチに結合される。
【００１５】
この種のカメラサポートは、個々のカメラアセンブリに都合良く使うことができる。カメラアセンブリは、カメラサポートを２つの直交する部材と共に具え、第１のそれがレンズを支持するようになっていると共に第２のそれがカメラボディを第２の部材に解除可能に固定するための第１の固定手段を有し、この第２の部材は前記第１の部材に対する不動部材を有し、前記第１の固定手段が前記可動部材に形成され、この可動部材は、前記第１の固定手段により可動部材に固定された場合、前記カメラボディが前記レンズから間隔をあけられる第１の位置と、前記カメラボディが前記レンズに接続する第２の位置との間を移動可能である。可動部材は、前述したようにカメラサポートの台板に対応している。
【００１６】
第１の安全手段として、固定手段が固定状態にある場合に限り、可動部材が第２の位置へと移動可能であることをもたらすことができる。従って、カメラボディは、その向きが正しい場合に限り、レンズに接近することができ、カメラボディとレンズの光学面との間での接触の危険性がない。
【００１７】
この第１の安全手段は、前記可動部材の移動方向に対して直角に移動可能であって、カメラボディを固定および／または固定解除するために利用者により移動させることができる前記固定手段の操作部材と、可動部材が第２の位置にある場合に操作部材をその固定状態に拘束する突起を持った前記不動部材とにより、特に具体化することができる。
【００１８】
第２の安全手段として、可動部材が第２の位置にある場合、固定手段を固定状態に固定することをもたらすことができる。すなわち、カメラボディが非常にレンズに近い場合、カメラボディの偶発的移動がレンズに損傷を与える可能性があり、カメラボディを可動部材から固定解除することができない。
【００１９】
この第２の安全手段は、前記可動部材の移動方向に対して直角に移動可能であって、カメラボディを固定および／または固定解除するために利用者により移動させることができる前記固定手段の操作部材と、固定手段が非固定状態にある場合、可動部材をその第１の位置に拘束する突起を持った前記不動部材とにより、特に具体化することができる。
【００２０】
両方の安全手段を組み込み、かつ操作部材と２つの安全手段の突起とが同じであることが特に望ましい。これは、例えば可動部材の移動方向に対してほぼ直角に延在し、かつ非固定状態にある不動部材の突起の第１の側に面すると共に操作部材が固定状態にある場合に前記第１のブロック面と重ならない第１のブロック面と、その固定状態と非固定状態との間の前記操作部材の移動方向に対してほぼ直交し、かつ可動部材がその第２の位置にある場合に限り、前記突起の第２の側と重なり合う第２のブロック面とを持った操作部材を設けることによって、達成することができる。
【００２１】
カメラボディおよび可動部材は、固定手段がカメラボディを可動部材に対して固定することを可能にする位置へとカメラボディを案内するために協力し合う案内手段を好ましくは有するべきである。これら協力し合う案内手段は、テーパ状のくさびと、対をなすテーパ状あり溝とを具えることができ、例えば、上述したようにこれらの一方はカメラボディに配されると共に他方が可動部材に配される。加えて、あるいは選択肢として、カメラサポートに対するカメラボディの直線状の移動を厳密に案内するため、一定の幅の協力し合うウェブおよび溝を可動部材およびカメラボディに設けることができる。
【００２２】
案内手段は、カメラボディをその固定位置へと可動部材の移動方向と平行に案内することができる。上記安全手段により可動部材が拘束されて非固定状態にあるので、正確に固定されず、それゆえに正確に配されずにカメラボディがレンズにぶつかる危険性がない。
【００２３】
可動部材は、これが第１および第２の位置よりも第１の部材からさらに遠くに離れ、かつこれが不動部材から固定解除される第３の位置へと移動可能であってよい。この位置において、例えば修理または保守のため、可動部材をカメラサポートから取り除くことが可能である。
【００２４】
可動部材がその第１の位置からその第２の位置まで移動する場合、可動部材を不動部材に対して自動的かつ解除可能に固定し、これによりカメラボディが両者を連結するのに必要な距離よりもレンズに近付き過ぎるのを阻止するため、第２の固定手段を設けることができる。
【発明の効果】
【００２５】
このカメラアセンブリの場合、可動部材がその第１の位置にあると、カメラボディがカメラサポートに固定されるので、仮に適切な方向付けなく、カメラがその当接位置に向けて強引に押し付けられたとしても、カメラボディと第１の部材に取り付けることができるレンズとの間での接触の危険性がない。製造公差のためにカメラボディが第１の部材にぶつかる前に当接位置に達することができなかったり、あるいは当接位置のカメラボディが第１の部材から遠く離れ過ぎているので、バヨネット結合を完了することが困難であったりするという可能性がない。
【００２６】
従って、このカメラアセンブリは、カメラボディとレンズとの間の接続において協力し合う種々の部品の位置および寸法に対してあまりにも厳密な公差を課すことを必要とせず、カメラボディをカメラサポートの所定位置に固定すると共にカメラボディをレンズに連結することを可能にする。さらに、カメラボディがレンズに接近する場合、レンズに損傷を与える危険性がない。
【発明を実施するための最良の形態】
【００２７】
本発明のさらなる特徴および利点は、添付図面を参照した次のその実施形態の説明から明白となろう。
【００２８】
図１を参照してカメラサポートの概略形状が説明されよう。従来のスーパーエキスパンダーのように、このサポートは、台板１と、台板１の前端２に対向し、上部に図示しないレンズが取り付けられる縦壁４とを具えている。図１には壁４の下部のみが描かれている。台板１は、アルミニウムなどで作られる平坦な厚板である。
【００２９】
前端２の近傍において、２つのくさび５が台板１に形成されている。これらくさび５は、台板１の長手方向に延在する縦外側部６と、相互に対向すると共に上方および前方に収束する内側部７とを有し、あり形断面を有する幅の広いテーパ溝８を画成するようになっている。
【００３０】
くさび５の下方には、ラッチ９が台板１の横溝に摺動可能に収容されている。ラッチ９の遠端には、指で容易に押される凹面１０が形成され、ラッチ９を台板１に押し込むようになっている。ラッチ９は、テーパ溝８の底にて長穴１３を通って突出する円柱状のピン１１に連結されている。長穴１３は、くさび５の一方に延在し、ラッチ９を押し込んだ場合、ピン１１が溝８を出てくさびの開口に収まるようになっている。
【００３１】
くさび５の一方の外側部６に隣接するトリガー爪１４が台板１の穴１５に取り付けられている。トリガー爪１４は台板１の長手方向に移動可能である。
【００３２】
台板１の中央部近傍には、カメラボディの係合手段を形成する直方体形状のブロック１６が示されている。カメラボディは、ブロック１６に対するその位置を例示するために仮想で図に示されている。ブロック１６の底側には、２つのテーパ溝１７が形成され、その形状は台板のくさび５に対応している。溝１７は，くさび５と対向するブロック１６側で広い開口を有するので、その結合をレンズに対して行うためにカメラボディを壁４に向けて押し込んだ場合、くさび５を溝１７に係合させることが容易である。溝１７の内側がくさび５の内側７に接触する当接位置に達するまで、カメラボディを前方に押し込むことができる。これが起こった場合、一方の溝１７の内側に形成されたノッチ１８が長穴１３と一直線状となり、ピン１１がこれと係合することができ、ノッチ１８の前壁と接触状態となり、これによってブロック１６の後方移動を阻止するようになっている。従って、ブロック１６の位置があらゆる遊びを持たずに規定される。
【００３３】
台板１の後端３の近傍には、円形の固定板１９が、図１の視点では固定板１９の下に完全に隠れている円筒状のステム２０(例えば図５参照)により、台板１の上側から間隔をあけて保持されている。
【００３４】
カメラボディは、その後底部に固定されてアンダーカット溝２２が形成されるシュープレート２１を有する。溝２２は、その上部において、固定板１９を収容するために充分広く、これに対してその下部においては、ウェブ２３が溝の両側から中央に向けて突出し、ステム２０の両側にて固定板１９と台板１の表面との間で係合するようになっている。
【００３５】
図１に示したカメラサポートの形状において、そのブロック１６が溝８に係合し、ピン１１がノッチ１８に係合し、そして固定板１９がシュープレート２１の溝２２に係合するように適切に配された場合、カメラボディはカメラサポートに固定されよう。
【００３６】
カメラサポートにカメラボディを固定する方法を理解するため、非固定状態における台板１の底面図とその断面図とを示す図４および図５に対する参照がここでなされる。この状態において、ラッチ９が台板１に押し付けられ、ピン１１がくさび５内に隠されるようになっている。トリガー爪１４の一部であるコグ１２がラッチ９のノッチ２４に係合する。コグ１２は圧縮コイルばね２５によりノッチ２４へと押し込まれて保持される。別なコイルばね２６が切欠き２７に取り付けられてねじれ負荷の下にあり、ラッチ９の止め金２９に対して力を加え、ばね２６の端部２８が台板１からラッチ９を押し出すように付勢している。コグ１２によりブロックされているラッチ９は、この力に従うことができない。
【００３７】
台板１の長手方向切欠き３０には、両アームレバー３１が軸３２に回転可能に保持されている。くさび３４は第３のコイルばね３３によりレバー３１の一端に対して押し付けられ、これによりレバー３１の他端がラッチ９の内側端に対して押し付けられる。くさび３４は、これに形成された長手方向の溝３５を有し、ここにステム２０が延在する。くさび３４を横切って延在する押圧板３６がステム２０の端部に固定されている。明瞭性のために図４に示さないが、図５にのみ示す板ばね３７は、板３６をくさび３４に付勢し、くさび３４は板３６と台板１の内面との間に遊びなく保持されるようになっている。図５の形態において、台板１の上面と固定板１９の底側との間の空隙３８は充分広く、そこにシュープレート２１のウェブ２３を係合させることが容易である。
【００３８】
カメラボディを図１に示した位置からこれが固定される位置まで前方に押し込む操作において、ブロック１６がトリガー爪１４に当接してこれを前端２の方に押し込み、これによってばね２５が圧縮されると共にコグ１２がノッチ２４から取り外される。ここで、ラッチ９はばね２６の力に従うことができ、外側に移動する。さて、レバー３１は軸３２の回りを自由に回転してこれがくさび３４の圧力に従うようになっており、くさび３４は図４の視点において下方または図５の視点において右に動かされ、従って固定板１９を台板１の方に引っ張る。
【００３９】
結果として生ずる状況を図２および図３にて見ることができる。くさび３４は、固定板１９が台板１に近付いてシュープレート２１のウェブ２３が台板１と固定板１９との間に固定されるまで、ばね３３の力に従う。くさび３４の傾斜が小さいので、その厚みと狭い方の両端との間の厚みの差を０.５mm以下にすることができると共に図２および図４の形態におけるその２つの位置間の距離を数ミリメートルにすることができ、引っ張り力が固定板１９に加わった場合、くさび３４を側方に摺動させることができず、シュープレート２１をしっかりと遊びなく保持するようになっている。
【００４０】
カメラボディを再び解放する場合、ラッチ９を台板１に押し込むことで充分であり、ピン１１が溝８から出てそのくさび５へと移動し、くさび３４がレバー１３によって後方に押し戻されるようになっており、固定板１９が板ばね３７によって持ち上げられることを可能にする。従って、カメラボディが固定解除され、後方に引き戻すことができる。コグ１２がばね２５によりノッチ２４へと押し付けられるため、ラッチ９は、他のカメラボディが取り付けられて再び前方のトリガー爪１４を押すまで、この位置に保持される。
【００４１】
ここで、次の図面にて説明されるカメラアセンブリに対し、特に前述したようなスーパーエキスパンダーに対し、この種類のカメラサポートを具合良く用いることができる。
【００４２】
図６のカメラアセンブリの側面図において、参照符号１００は、第１のほぼ垂直な部材４と、第２のほぼ水平な部材１０１とを有するカメラサポートを示している。垂直部材４は、この部材４の外側に取り付けられるレンズ１０２の光軸Ａに対して直角に延在している。水平部材１０１は、垂直部材４に強固に連結されると共にこれを三脚などに取り付けるための取り付け具が設けられ、従って不動部材として与えられる第１の概ね板状をなす部材１０３と、カメラボディ１０４が取り付けられる第２の概ね板状をなす部材１とを具えている。図６中に実線で示すカメラボディ１０４および第２の板状部材１の第１の位置において、カメラボディ１０４と垂直部材４との間に空隙があり、レンズ１０２およびカメラボディ１０４のバヨネットカップリング部材１０５および１０６は係合し合わない。第２の板状部材１は、図６中に仮想で示す第２の位置へと移動可能であり、カップリング部材１０５および１０６が相互に係合してこれらの一方を回転することにより固定することができ、カメラを操作可能にする。実際のバヨネットカップリング部材１０５および１０６は従来技術の部分であるので、ここではこれらをさらに詳細に記述しない。
【００４３】
手始めにカメラアセンブリおよびその操作の理解を促進するため、カメラボディ１０４に対する第２およびその接続がここで図７から図１１を参照して詳細に説明されよう。図７の板状部材１は、図１〜図５に関してすでに説明したように、台板１と対応している。同じ部品に対して同一の参照符号が用いられる。
【００４４】
図７に示すように、可動部材１は、アルミニウムなどから作られた平坦な厚板であり、その前端２が垂直部材４に対向している。前端２の近傍において、２つのくさび５が可動部材１に形成されている。くさび５は、可動部材１の長手方向に延在する縦外側部６と、相互に対向して上方および前方に収束する内側部７とを有し、あり形断面を持った幅の広いテーパ溝８を画成するようになっている。
【００４５】
くさび５の下方には、ラッチ９が可動部材１の横溝に摺動可能に収容されている。ラッチ９の遠端には、指にて容易に押される凹面１０が形成され、ラッチ９を台板１に押し込むようになっている。ヘッドは下向き突出部３９をさらに有し、この詳細な説明の後の部分で明らかとなろう方法で不動部材１０３の突起１２４と協力し合う。ラッチ９は、長穴１３を通って突出する円柱状のピン１１にテーパ溝８の底部で連結されている。長穴１３は、くさび５の一方へと延在し、ラッチ９が押された場合にピン１１が溝８から出てくさびの開口内に収まるようになっている。
【００４６】
一方のくさび５の外側６に隣接し、トリガー爪１４が可動部材１の穴１５に取り付けられている。このトリガー爪１４は、可動部材１の長手方向に移動可能である。
【００４７】
可動部材１の中央付近には、カメラボディ１０４の係合手段を形成する直方体形状のブロック１６が図示されている。カメラボディ１０４は、ブロック１６に対するその位置を示すために図７では仮想で図示されている。ブロック１６の底側には、２つのテーパ溝１７が形成され、これらの形状は、可動部材１のくさび５と合致している。溝１７がブロック１６のくさび５と対向する側にて広い開口を有しているため、カメラボディ１０４を壁４の方に押し込んでこれをレンズ１０２に結合させようとした場合、くさび５を溝１７に係合させることが容易である。溝１７の内側がくさび５の内側７に接触する当接位置に達するまで、カメラボディ１０４を前方に押し込むことができる。これが起こった場合、一方の溝１７の内側に形成されたノッチ１８が長穴１３と一直線状に並び、ピン１１がこれに係合してノッチ１８の前壁と接触状態となることができ、これによってブロック１６の後方移動を阻止するようになっている。従って、ブロック１６は可動部材１に対してあらゆる遊びなしに固定される。
【００４８】
可動部材１の後端３の近傍には、円形の固定板１９が、図７の視点では固定板１９の下方に完全に隠れている円柱状のステム２０(例えば図１１を参照)により、台板１の上側から間隔をあけて保持されている。
【００４９】
カメラボディ１０４は、アンダーカット溝２２が形成されるその後底部に固定されたシュープレート２１を有する。その上部において、溝２２は固定板１９を収容するのに充分広いのに対し、その下部において、ウェブ２３が溝の両側から中央に向けて突出し、ステム２０の両側にて固定板１９と可動部材１の表面との間で係合するようになっている。
【００５０】
図７に示した可動部材１の形態において、そのブロック１６が溝８に係合し、ピン１１がノッチ１８に係合し、そして固定板１９がシュープレート２１の溝２２に係合するように適切に配された場合、カメラボディ１０４は可動部材１に固定されよう。
【００５１】
カメラボディを可動部材１に固定する手順を理解するため、ここで非固定状態における可動部材１の底面図およびその断面図を示す図９および図１０に対して参照がなされよう。この形態において、ラッチ９が可動部材１に押し込まれてピン１１がくさび５内に隠れるようになっている。トリガー爪１４の一部であるコグ１２は、ラッチ９のノッチ２４に係合する。コグ１２は、圧縮コイルばね２５によりノッチ２４へと押し込まれて保持される。別のコイルばね２６が切欠き２７に取り付けられてねじれ負荷の下にあり、ラッチ９の止め金２９に力を加え、ばね２６の端部２８が台板１からラッチ９を押す出すように付勢している。コグ１２により拘束されているラッチ９は、この力に従うことができない。
【００５２】
可動部材１の長手方向切欠き３０には、両アームレバー３１が軸３２に回転可能に保持されている。くさび３４は、第３のコイルばね３３によりレバー３１の一端に押し付けられ、これによりレバー３１の他端はラッチ９の内端に対して押し付けられる。くさび３４は、そこに形成された長手方向の溝３５を有し、ここにステム２０が延在している。くさび３４を横切って延在する押圧板３６がステム２０の一端に固定されている。明瞭性のために図１０には示していないが、図１１にのみ示す板ばね３７は、板３６をくさび３４に対して付勢し、くさび３４が板３６と可動部材１の内面との間に遊びなく保持されるようになっている。図１１の形態において、可動部材１の上面と固定板１９の底側との間の空隙３８は、シュープレート２１のウェブ２３に対して充分に広く、これを容易に係合する。
【００５３】
カメラボディ１０４を図７に示す位置からこれが可動部材１を固定する位置まで前方に押し込む操作において、ブロック１６がトリガー爪１４にぶつかってこれを前端２に向けて押し込み、これによりばね２５を圧縮してコグ１２がノッチ２４から外される。ここで、ラッチ９はばね２６の力に従うことができ、外側へ移動する。さて、レバー３１は軸３２の周りを自由に回転してこれがくさび３４の圧力に従うようになっており、くさび３４は図１０の視点において下方または図１１の視点において右に動かされ、従って固定板１９を可動部材１の方に引っ張る。
【００５４】
結果として生ずる状況を図８および図９で見ることができる。くさび３４は、固定板１９が可動部材１に近付いてシュープレート２１のウェブ２３が可動部材１と固定板１９との間に固定されるまで、ばね３３の力に従う。くさび３４の傾きが小さいので、その厚みと狭い方の両端との間の厚みの差を０.５mm以下にすることができると共に図８および図１０の形態におけるその２つの位置間の距離を数ミリメートルにすることができ、引っ張り力が固定板１９に加わった場合、くさび３４を側方に摺動させることができず、シュープレート２１がしっかりと遊びなく保持されるようになっている。
【００５５】
カメラボディを再び解放する場合、ラッチ９を可動部材１に押し込むことで充分であり、ピン１１が溝８から出てそのくさび５へと移動し、くさび３４がレバー３１により後方に押されるようになっており、固定板１９が板ばね３７により持ち上げられることを可能にする。従って、カメラボディ１０４が固定解除され、後方に引き戻すことができる。コグ１２がばね２５によってノッチ２４に押し付けられるため、他のカメラボディが取り付けられてトリガー爪１４を再び前方に押すまで、ラッチ９はこの位置に保持される。
【００５６】
図７を再び参照し、可動部材１は、ねじ１０７によって不動部材１０３に連結され、このねじは、可動部材１の長穴１０８を通って延在すると共に不動部材１０３のねじ穴に螺合する。
【００５７】
可動部材１を不動部材１０３に連結して固定するための他の連結手段は、例えば図１１に示すように、固定板１９に類似しているが、ステム１１０によって可動部材１の底側から間隔をあけて保持された固定板１０９を具えている。ステム２０と類似するステム１１０は、くさび１１１の穴を通って延在している。くさびは、可動部材１から延在するラッチ１１２に連結されている。図８および図１０の形態において、ラッチ１１２は、ばね付勢爪１１３により所定位置に固定され、ばね付勢爪は、このラッチ１１２のノッチに係合し、従ってばね１１４が伸張してラッチ１１２が外側に押し出されるのを阻止する。
【００５８】
図１２の可動部材１の底面図は、可動部材１の底側に形成された浅い凹部１１５を示している。爪１１３のトリガー部は、凹部１１５の底の開口を通って延在する。トリガー部を図１２の左に移動させることにより、爪１１３がラッチ１１２のノッチから外される。ラッチ１１２が外側に押されて固定板１０９がくさび１１１により可動部材の底側に向けて引き込まれる。
【００５９】
ラッチ１１２に連結された固定ピン１２２は、ラッチ１１２の移動方向に延在する溝を通って凹部１１５へとに突出している。
【００６０】
図１３から図１９を参照し、カメラアセンブリの組み立て手順が説明される。
【００６１】
図１３は、不動部材１０３の平面図であり、可動部材１の輪郭を仮想で共に示している。カメラボディのシュープレート２１と類似のシュープレート１１６は、不動部材１０３の上側に固定されている。可動部材１は、不動部材１０３の上に大ざっぱに載置され、可動部材１の固定板１０９は、上方からシュープレート１１６の溝１１７の一端の円形の切欠きへと挿入される。溝１１７のアンダーカット１２３は一点鎖線にて表されている。シュープレート１１６の側方には、移動可能なブロック１１９の底から上方に突出するＴ字形の溝１１８がある。このブロックは、圧縮ばね１２０によって不動部材１０３の側方に付勢される。図１３の状況において、ねじ１０７が取り外され、長穴１０８は、ねじ１０７を係合すべき不動部材のねじ穴１２１と合致していない。カメラボディは可動部材１にまだ連結されていない。図１３の状況は、可動部材１を不動部材１０３の上に置いたり、あるいは不動部材から取り外したりすることが自由にできるサービス形態である。
【００６２】
可動部材１を図１３の状況における不動部材１０３の上に置いた後、可動部材１が垂直部材４に向けて押し込まれる。図１４で見ることができるように、ブロック１１９は、ばね１２０の力に抗する爪１１３のトリガー部のテーパ状側面に沿って摺動することによって移動する。爪１１３はブロック１１９によって移動しない。
【００６３】
図１５に示すように、可動部材１が垂直部材４へとさらに押し込まれてより近接した場合、ブロック１１９は爪１１３を通過してばね１２０が再び伸張する。ここで、固定板が溝１１７の他端に達する。
【００６４】
可動部材１が再び垂直部材４から離れて引き込まれた場合、ブロック１１９が爪１１３にぶつかり、図１６に示すようにこれを移動させる。これは、ラッチ１１２を解除して外側に押し出す。ラッチ１１２およびくさび１１１の動作により、固定板１０９が上方に引っ張られてアンダーカット１２３に押し付けられる。同時に、ラッチ１１２の固定ピン１２２がＴ字溝１１８の側方部に係合し、これによって可動部材１が不動部材１０３に固定される。この状況において、長穴１０８がねじ穴１２１と合致してねじ１０７を差し込むことができ、可動部材と不動部材とをもう分離できないようにする。ねじ１０７が所定位置にある場合、可動部材を図１３に示す位置に戻すことができない。
【００６５】
可動部材１がカメラボディ１０４を収容するようにするため、次のステップにてラッチ９が可動部材１に押し付けられ、これにより、上述のようにピン１１があり溝８の外に動かされ、このようにしてカメラボディ１０４の直方体状のブロック１６に係合するように、溝８内の障害物を除去する。図１７に示すように、ラッチ９が中に押されて可動部材１が前方に押し込まれた場合、その下向き突出部３９が突起１２４に対して当接しよう。すなわち、可動部材１がカメラボディ１０４を収容するための準備ができている場合、これが押されて垂直部材４に近付くことができず、カメラボディ１０４とレンズ１０２との偶発的な衝突が阻止される。
【００６６】
図１８に示すように、カメラボディ１０４が可動部材１に適切に固定された場合、ラッチ９は再び可動部材１から出、カメラアセンブリが図６に関して上述した第１の位置にある。ここで、ラッチ９がもはや突起１２４と干渉するのではなく、まだ可動部材１が不動部材１０３に固定されている。この第１の位置において、カメラボディ１０４およびカメラサポート１００は、都合良く１つのユニットとして取り扱うことができる。例えば、これらは三脚から取り外され、それぞれ移送ための収容箱に収容させることができる。この第１の位置において、一方または両方共に損傷を受ける可能性があるレンズ１０２とカメラボディ１０４との間の干渉を危ぶむ必要なく、レンズ１０２を垂直部材４から取り外すことがさらに可能である。
【００６７】
ラッチ１１２を内側に押し込むことにより、可動部材１が不動部材１０３から固定解除され、可動部材１およびこれにより支持されているカメラボディ１０４が図１９の位置へと前方に押し込まれ、カメラボディ１０４がバヨネットカップリング１０５，１０６を固定するために充分にレンズ１０２に近付くことができるようになっている。これは、図６に関して上で述べた第２の位置である。図１９の状況において、突起１２４がラッチ９の下方にあり、ラッチ９を内側に押し込むことができないようになっている。従って、カメラボディがレンズに近付きすぎるとカメラボディの規制されない動きがレンズに対する損傷をもたらす可能性があるのに対し、カメラボディ１０４を可動部材１から固定解除することが不可能である。
【００６８】
カメラボディを取り外すため、図１７から図１９に示す段階は逆の順番を経、すなわち、可動部材１およびカメラボディ１０４は、ブロック１１９が爪１１３を始動させ、ラッチ１１２が外側に押し出され、固定板１０９が上方に引っ張られてシュープレート１１６を固定するまで、垂直部材４から離れるように引っ張られる。次に、ラッチ９が押され、ここでレンズ１０２から安全な距離にあるカメラボディ１０４を、これによりその固定位置から押し出して取り外すことができる。
【００６９】
図２０は、本発明の第２の実施形態によるカメラサポートの立体投影図であり、図７に類似している。図７の実施形態と対応したこの実施形態の部材は、同一の参考符号を有する。
【００７０】
図２０の実施形態は、可動部材１が不動部材１０３に直接載っておらず、これら２つの間に板１２５があるという点で図７のそれとは相違する。板１２５は、不動部材１０３に直接載せられ、軸１２６によって可動部材１に連結され、可動部材１が不動部材１０３に関して数度だけ傾斜することを可能にしている。板１２５はステム１１０が延在する図示しない中央開口を有し、可動部材１および板１２５にて形成されたアセンブリが図１３から図１９を参照して上述したのと同じ不動部材１０３に取り付けられることを可能にする。
【００７１】
可動部材１の後部を上方に付勢してカメラボディの重量を相殺するためのばねは、板１２５と可動部材１との間に隠されており、カメラボディの傾斜をわずかな努力で変更することができるようになっている。
【００７２】
ねじ１０７と同様な第２のねじ１２７が可動部材１を板１２５に対して望ましい傾斜角度に固定するために設けられている。バヨネットカプリング部材１０５，１０６が係合状態にもたらされて相互に固定された場合、ねじ１２７を固定解除することができ、カメラボディが固定中にバヨネットカプリング部材１０５，１０６間に発生する可能性があるどのようなトルクにでも従うことを可能にし、ねじ１２７が再び固定された場合、このアセンブリは内部応力から解放される。
【図面の簡単な説明】
【００７３】
【図１】カメラサポートおよびこのカメラサポートの係合手段と協力し合うカメラの相補的係合手段の立体投影図である。
【図２】図１のカメラサポートの底面図である。
【図３】図２のIII−III線に沿って取得したカメラサポートの断面図である。
【図４】固定解除状態における取り付け板の底面図である。
【図５】図４のＶ−Ｖに沿った断面図である。
【図６】図１〜図５に示すようなカメラサポートを具えたカメラアセンブリの概略側面図である。
【図７】図１に示すような台板の立体投影図であり、図６のカメラアセンブリの可動部材およびこの可動部材の係合手段と協力し合うカメラの相補的係合手段の可動部材として配されている。
【図８】図９のIII−III線に沿った図７の可動部材の横断面図である。
【図９】図８のIV−IV線に沿って取得した可動部材の断面図である。
【図１０】図１１のＶ−Ｖ線に沿った固定解除状態における可動部材の横断面図である。
【図１１】図１０のVI−VI線に沿った断面図である。
【図１２】可動部材の底面図である。
【図１３】カメラアセンブリの取り付け手順のステップを示す。
【図１４】カメラアセンブリの取り付け手順のステップを示す。
【図１５】カメラアセンブリの取り付け手順のステップを示す。
【図１６】カメラアセンブリの取り付け手順のステップを示す。
【図１７】カメラアセンブリの取り付け手順のステップを示す。
【図１８】カメラアセンブリの取り付け手順のステップを示す。
【図１９】カメラアセンブリの取り付け手順のステップを示す。
【図２０】図７に類似し、カメラアセンブリの第２の実施形態によるカメラサポートの立体投影図である。
【図１】
0005415757.tif 000002
【図２】
0005415757.tif 000003
【図３】
0005415757.tif 000004
【図４】
0005415757.tif 000005
【図５】
0005415757.tif 000006
【図６】
0005415757.tif 000007
【図７】
0005415757.tif 000008
【図８】
0005415757.tif 000009
【図９】
0005415757.tif 000010
【図１０】
0005415757.tif 000011
【図１１】
0005415757.tif 000012
【図１２】
0005415757.tif 000013
【図１３】
0005415757.tif 000014
【図１４】
0005415757.tif 000015
【図１５】
0005415757.tif 000016
【図１６】
0005415757.tif 000017
【図１７】
0005415757.tif 000018
【図１８】
0005415757.tif 000019
【図１９】
0005415757.tif 000020
【図２０】
0005415757.tif 000021